(57)【要約】【課題】ベッドメイキングが不要で非使用時のベッドを手間をかけずに気持ち良く保つことができ、この状態でファッション性に優れ、また、使用時には保温性良好なベッド用上掛け布団を提供する。【解決手段】所定の略矩形状のベッド上面部に対応した大きさを有し内部には羽毛が充填された上掛け布団本体部と、前記上掛け布団部の長さとベッドの側面の一部あるいは全面を覆う幅寸法を有した略矩形状で内部には羽毛が充填され、前記上掛け布団部の両側方辺部にそれぞれ固定された左右一対の側部垂下片と、前記上掛け布団部の幅に対応した長さとベッドの足元側側面の一部あるいは全面を覆う幅寸法の略矩形状で内部には羽毛が充填されており、一方の長辺部が前記上掛け布団部の足元側縁部に固定され両短辺部それぞれが前記側部垂下片それぞれの足元側縁部と係合可能な足元垂下片とから構成する。【選択図】図１
2004181159.tif 000002
【特許請求の範囲】
【請求項１】
所定の略矩形状のベッド上面部に対応した大きさを有し内部には羽毛等の充填物が充填された上掛け布団本体部と、
前記上掛け布団部の長さとベッドの側面の一部あるいは全面を覆う幅寸法を有した略矩形状で内部には羽毛等が充填され、前記上掛け布団部の左右の側方辺部にそれぞれ固定された左右一対の側部垂下片と、
前記上掛け布団部に対応した長さとベッドの足元側側面の一部あるいは全面を覆う幅寸法を有した略矩形状で内部には羽毛等が充填されており、一方の長辺部が前記上掛け布団部の足元側縁部に固定され、左右の短辺部それぞれが前記側部垂下片それぞれの足元側縁部と係合された足元垂下片と、
からなることを特徴とするベッド用上掛け布団。
【請求項２】
前記側部垂下片の足元側縁部と、この足元側縁部に対応する前記足元垂下片の両短辺部それぞれに、前記側部垂下片と足元垂下片とを着脱可能にする係合手段を設けたことを特徴とする請求項１に記載のベッド用上掛け布団。
【請求項３】
略四半分円形状の布辺で、その半径方向縁部のそれぞれに前記側部垂下片の足元側短辺部と前記足元垂下片の短辺部それぞれとを着脱可能にする係合手段を設けた、左右一対の部分円布を更に備えたことを特徴とする請求項２に記載のベッド用上掛け布団。
【発明の詳細な説明】
【０００１】
【発明の属する技術分野】
本発明は、寝心地よく、ベッドメイキングが容易な、ベッドカバーを兼ね備えたベッドカバー兼用のベッド用の上掛け布団に関する。
【０００２】
【従来の技術】
寝具としてベッドの普及が進んでいる。ベッド用の上掛けは毛布状のものと、布団状のものとがあるが、いずれもベッドのサイズに適合した寸法の矩形状に形成されている。布団状のものは、袋状の側地内部に綿や羽毛等の充填物が充填される。羽毛布団では保温効果・使用感を損なう羽毛の偏在を防止するために、表裏の側地間に小区画室を形成して（キルティング）、この中に羽毛を充填して構成されている（例えば、特許文献１参照。）。
【０００３】
寝具としてのベッドでは、次にすぐに気持ちよく使えるように準備するためにベッドメイキングが行われる。このベッドメイキングを容易にするための上掛け布団も提案されている（例えば特許文献２参照）。また、一般家庭では使用しない場合に美観をたもつためにベッドカバーを使用することも多い。ベッドカバー兼用とした上掛け布団も提案されている（例えば特許文献３参照）。
【０００４】
【特許文献１】
実公平２−１９０７７号公報
【特許文献２】
特開平１１−１３７３９５号公報
【特許文献３】
特開２０００−２７９３００号公報
【０００５】
ベッドメイキングについては、一層の簡易化が望まれる。また、全体を覆うベッドカバーの使用は意匠性に富んだ布団の模様を隠してしまう。部分的に覆うベッドカバーはファッション性を損なう場合も多い。
【０００６】
また、一般に布団には耐久性や意匠性等の種々の特性が要求され、なかでも重要なものの一つに保温性能がある。保温性も重要で、ベッドと上掛け布団の関係も重要になる。
【０００７】
【発明が解決しようとする課題】
従って、本発明は、ベッドメイキングが不要で非使用時のベッドを手間をかけずに気持ち良く保つことができ、この状態でファッション性に優れ、また、使用時には保温性良好なベッド用上掛け布団を提供することを目的としてなされたものである。
【０００８】
【課題を解決するための手段】
上記課題解決のために本発明では、ベッド用上掛け布団を、所定の略矩形状のベッド上面部に対応した大きさを有し内部には羽毛が充填された上掛け布団本体部と、前記上掛け布団部の長さとベッドの側面の一部あるいは全面を覆う幅寸法を有した略矩形状で内部には羽毛が充填され、前記上掛け布団部の左右の側方辺部にそれぞれ固定された左右一対の側部垂下片と、前記上掛け布団部に対応した長さとベッドの足元側側面の一部あるいは全面を覆う幅寸法を有した略矩形状で内部には羽毛が充填されており、一方の長辺部が前記上掛け布団部の足元側縁部に固定され、左右の短辺部それぞれが前記側部垂下片それぞれの足元側縁部と係合された足元垂下片とから構成する。
【０００９】
また、上記構成において、前記側部垂下片の足元側縁部と、この足元側縁部に対応する前記足元垂下片の両短辺部それぞれに、前記側部垂下片と足元垂下片とを着脱可能にする係合手段を設ける。更には、その半径方向縁部のそれぞれに前記側部垂下片の足元側短辺部と前記足元垂下片の短辺部それぞれとを着脱可能にする係合手段を設けた左右一対の部分円布を更に備えるようにしても良い。
【００１０】
【発明の実施の形態】
〔実施例〕以下、本発明につき実施例をあげ図を用いて詳細に説明する。図１の（ａ），（ｂ）両図は、本発明の一実施例のベッド用の上掛け羽毛布団を示しており、図１（ａ）は表面側から見た平面図であり、図１（ｂ）はこの布団をベッドに掛けて使用した場合を示す斜視図である。
【００１１】
実施例の羽毛布団１００は、上掛け布団本体部１０と、左右一対の側部垂下片２０Ａ，２０Ｂ、および、足元側の足元垂下片３０とで構成されている。以下、各部分について説明する。
【００１２】
上掛け布団本体部１０は略従来の羽毛布団と同様に形成されていて、内部は小区画室に分割されている。すなわち、表裏一対の同形略矩形の表側地と裏側地とを表裏同位置の区画線に沿って配置された布団長手方向に延びる隔壁布（襠布）を介して接合し、前記表側地と裏側地とを隔壁布を介して接合するとともに外周辺部に沿って接合して複数の小区画室を形成し、これら小区画室の夫々に羽毛を充填してある。
【００１３】
上掛け布団本体部１０は、これが使用される所定のベッドの上面部に対応した所定寸法の略矩形状の大きさに形成されている。すなわち、幅は略ベッド幅（例えば１２０ｃｍ）で長さはベッド上面の上方頭部部分に枕を置くスペースを残して略ベッドの足元端までの寸法（例えば２００ｃｍ）になっている。上掛け布団部１０の左右の側方辺部１０ａ，１０ｂに沿って第１の係合手段が取り付けられている。また、足元側縁部１０ｃに沿って第２の係合手段が適宜間隔で取付けられている。係合手段としては、例えば、オス・メスで対となるアメリカンホックの一方を適宜間隔で複数個取り付けておく。なお、アメリカンホックの対応する他方は、後述するように、側部垂下片２０Ａ，２０Ｂおよび足元垂下片３０の対応する所定部位に設けられる。上述各部分の具体的な製法自体は、周知の既存技術と同様で良くここでは説明を省略する。
【００１４】
側部垂下片２０Ａ，２０Ｂは、上掛け布団本体部１０と分離可能に形成されている。各側部垂下片２０は、前記上掛け布団部と同じ長さで、ベッドの横側面の一部あるいは全面を覆う幅寸法（垂下長）の長尺矩形状で、内部には羽毛が充填され長手方向に５列、幅方向に６列の小区画にキルティングが施されている。なお、内部の羽毛充填量は、上掛け布団本体部１０に比べて少なくしてある。側部垂下片２０の一方の長辺部２０ａには、前記第１係合手段と対応する位置に前記第１の係合手段と係合可能な第３の係合手段としてアメリカンホックが取り付けてある。
【００１５】
また、前記側部垂下片２０それぞれの足元側縁部２０ｂには、第５の係合手段（アメリカンホック）が複数取り付けてある。なお、対応する他方は、足元垂下片３０の両短辺部のそれぞれの対応位置に設けられる。
【００１６】
前記足元垂下片３０も上掛け布団本体部１０と分離可能に形成されている。足元垂下片３０は、前記上掛け布団部１０の幅に対応した長さで、ベッドの足元側側面の一部あるいは全面を覆う幅寸法の略矩形状で、内部には羽毛が充填され長手方向に３列、幅方向に６列の小区画にキルティングが施されている。なお、内部の羽毛充填量は、上掛け布団本体部１０に比べて少なくしてある。足元垂下片３０には、一方の長辺部３０ａに沿って前記第２の係合手段と係合可能な第４の係合手段が取り付けてある。また、足元垂下片３０の両短辺部３０ｂ，３０ｂそれぞれに、前記側部垂下片に配設された係合手段に対応して第５の係合手段（アメリカンホック）が取り付けてある。
【００１７】
上述の、上掛け布団本体部１０、側部垂下片２０Ａ，２０Ｂ、足元垂下片３０は、共に少なくとも表面側には同一の側地素材を用いて外観上の統一を図る。あるいは、側部垂下片２０Ａ，２０Ｂと足元垂下片３０を、意匠性を考慮した上掛け布団本体部と異なる配色とすることも考えられる。
【００１８】
以上のように構成された、実施例の上掛け羽毛布団１００の使用方法について説明する。図１（ｂ）に示すように、実施例の上掛け羽毛布団１００は、ベッドＢに上から掛けて使用される。ベッド全体が統一的に上掛け布団で覆われて見栄えも良く、ファッション性に富む。また、特別なカバーを別途用意する必要もなく、使用後でも特別にベッドメイキング等しなくともそのまま美観を保つ。
【００１９】
そして、このようなベッドで就寝すると、前記側部垂下片と前記足元垂下片が適度な重みで垂れ下がり、保温性が向上し、また、布団の移動（位置ずれ）も少ない。なお、室温の程度や好みに応じて、必要ならば前記側部垂下片の足元側短辺と前記足元垂下片の左右の短辺部とそれぞれを係合手段により接合して、足元部を箱体状にして用いることができ、この場合には保温性がより向上し、布団の位置ずれも更にし難くなる。
【００２０】
このように、実施例のベッド用上掛け布団を用いれば、非使用時のベッドを手間をかけずに気持ち良く保つことができ、ファッション性にも優れ、また、使用時においては、保温性も良好で好適である。
【００２１】
次に、図２、図３に本発明の他の実施例を示す。図２は、実施例を表側から見た平面図、図３は裏面側平面図である。この実施例では、前実施例と全く同一の各構成部分に加えて、前記側部垂下片の足元側短辺と前記足元垂下片の左右の短辺部とそれぞれに着脱可能に形成された、部分円布４０を更に含んで構成される。また、上掛け布団本体部を分離も可能な２層構造にしてある。図において、図１と同一符号を付した部分は、前実施例と略同様の構成であり、説明は省略する。
【００２２】
本実施例では、図３の裏面図に示されるように、表側の上掛け布団本体部１０と略同様に構成された同一寸法の裏側の上掛け布団本体部（肌掛け）５０を取り付けて使用可能になっており、季節に応じて上掛け布団本体部５０を付加して、あるいは取り外して使用することができる。上掛け布団本体部１０と上掛け布団本体部５０の取り付けは、アメリカンホックを利用したり、ボタンとこれに対応した位置に設けた布ループを係合させる等、既知の適宜の係合手段を用いる。
【００２３】
部分円布４０は、略四半分円形状（中心各略９０度の部分円）の柔軟な布素材でなる布辺で、その半径方向縁部４０ａのそれぞれの所定位置（部位）に、前記側部垂下片の足元側縁部２０ｂに設けられた第５の係合手段、足元垂下片３０の両短辺部３０ｂ，３０ｂそれぞれに設けられた第５の係合手段に対応する係合手段としてアメリカンホックが取り付けてある。
【００２４】
部分円布４０も取り付けることによって、図２（図３）に示すような形態の上掛け布団となる。この上掛け布団の使用方法については、前実施例と同様であり、前実施例と同等の作用効果を得ることができる。部分円布４０によって、使用時の全体の柔軟性が増し、部材間のすきまを塞ぐことができ保温性が良くなる。部分円布４０の使用・非使用により、また、裏面の上掛け布団本体の着脱によって、季節に応じた最適な状態で使用することができる。
【００２５】
以上、実施例を挙げて本発明を説明したが、実施例に限らず本発明は適宜変形して実施できる。上述の実施例では、上掛け布団本体部と側部垂下片、および上掛け布団本体部と足元垂下片がそれぞれ係合手段で分離可能になっているが、これらは一体固定的に縫合してあっても良い。更には、側部垂下片と足元垂下片も固定的に縫合された構造であっても良い。なお、襟元等特に汚れ安い部分にはカバー等を併用してもかまわない。
【００２６】
上掛け布団本体部に、肌掛け以外にも適宜の機能層（例えば保温シート、消臭シート等）を一体にして組み込み可能な構成としても良い。また、実施例では、充填物として羽毛を用いているが、これに限らず綿を充填物としても良い。予め小区画室を設けて羽毛を個々に充填しても良いし、袋体に充填した後キルティングを行って充填羽毛の移動を防止しても良い。
【００２７】
【発明の効果】
上述した如き本発明の構成により、非使用時のベッドを手間をかけずに気持ち良く保つことができ、この状態でファッション性に優れ、また、使用時の保温性良好なベッド用上掛け布団が得られる。
【図面の簡単な説明】
【図１】（ａ）は本発明の一実施例のベッド用の上掛け羽毛布団を示す平面図、（ｂ）はベッドに掛けて使用した場合を示す斜視図である。
【図２】本発明他の実施例のベッド用上掛け布団を示す表側から見た平面図である。
【図３】同実施例のベッド用上掛け布団の裏面側を示す平面図である。
【符号の説明】
１０…上掛け布団本体部
１０ａ，１０ｂ…側方辺部
２０Ａ，２０Ｂ…側部垂下片
２０ａ…長辺部
２０ｂ…足元側縁部
３０…足元垂下片
３０ａ…長辺部
３０ｂ…短辺部
４０…部分円布
４０ａ…半径方向縁部
５０…上掛け布団本体部
１００…上掛け布団
【図１】
2004181159.tif 000003
【図２】
2004181159.tif 000004
【図３】
2004181159.tif 000005